Podtech/llm-jp-corpus-v4-ja_patent huggingface dataset:
(57)【特許請求の範囲】
【請求項１】
異なるコンポーネントを含み不均一な内部構造を有するソーセージ、ハム等の食料製品をスライスする方法であって、
前記食料製品を切断して、得られるスライス群が重ねられて積み上げられた部分をコンベア・システムによってスライシング領域から搬出し、
前記スライス群の各々の切断面を光電子ユニットにより検知して前記切断面を表す信号を得、
前記異なるコンポーネントの各々に対して重み係数を付与して前記切断面を表す信号の評価を前記製品の前記内部構造に関して行い、所定許容限度内にある同一内部構造を有する製品スライス群を特定等級の部分として集めることを特徴とする方法。
【請求項２】
表面に関する前記異なるコンポーネントの各部分を、前記製品の内部構造に関して検知して評価することを特徴とする請求項１記載の方法。
【請求項３】
肉部分、すなわち、赤身部分及び脂肪部分を、前記異なるコンポーネントとして検知することを特徴とする請求項２記載の方法。
【請求項４】
色分布を、前記製品内部構造に関して検出することを特徴とする請求項２記載の方法。
【請求項５】
異なる許容限度を、前記異なるコンポーネントについて予め設定することを特徴とする請求項１から４のいずれか１つに記載の方法。
【請求項６】
前記重み係数を、前記各々のスライスの厚さに基づいて提供することを特徴とする請求項１から５のいずれか１つに記載の方法。
【請求項７】
前記特定等級の部分の各々に、電子的にマーキングすることを特徴とする請求項１から６のいずれか１つに記載の方法。
【請求項８】
前記コンベア手段は、切断ステーションに設けられた部分形成領域に関連し、前記特定等級に属する製品スライス群、またはこれら製品スライス群から形成されて区分された部分が、製品生産領域とパーキング位置との間を順に移動せしめられ、各々の部分の処理終了後に搬送され得ることを特徴とする請求項１から７のいずれか１つに記載の方法。
【請求項９】
少なくとも一つの特定等級の部分を、製品から形成し、前記予め設定された許容限度範囲外の前記製品スライスを、選別し送り出すことを特徴とする請求項１から８のいずれか１つに記載の方法。
【請求項１０】
前記製品スライスの各々の表面が最小限の大きさに達しない時には、そのことを更なる分類基準としても使用することを特徴とする請求項９記載の方法。
【発明の詳細な説明】
【０００１】
【発明の技術分野】
本発明は、請求項１の前文に従って、不均一な内部構造を有する食料製品をスライスする方法に関する。
【０００２】
【従来技術】
食料製品をスライスする際には、可能な限り一定重量で、重ねられた又は積み上げられたスライスから成る部分を得ることが重要なだけでなく、個々の部分内における該食料製品スライスの内部構造、例えばソーセージ・スライスまたはハム・スライスの脂肪部分及び赤身部分、が可能な限り等しくなることを確実にすることも、しばしば望まれる。同種の内部構造を有する部分は最適の外観を生じはしないが、明確な価値を生じ、即ち、異なる価格付けを可能とし、より高価値の部分とより低価値との部分の間における差別化を可能にする。
【０００３】
このいわゆる部分の等級付けは、製品のスライシングにおいて生産される部分の手動分類によって、以前は行われていた。そして、等級付け又は分類は部分形成の速度の故に、且つ、完成して積み上げられた部分については一番上のスライスのみが見えて、重ねられた部分についてはスライスの領域だけが見えるという事実の故に、人間によって非常に粗く実行されることが可能なだけであった。こうして必要とされる労働力は、望ましくなく、且つ、不経済である。
請求項１の前文の特徴を有する方法は、ＥＰ−Ａ−０  ４４９  ５１２により公知である。
【０００４】
本発明の目的は、自動分類または自動等級付けが達成可能で、且つ、それが十分な高切断速度においても保証され、部分の個々のスライスの内部構造における誤差は常に明確な予め設定可能な許容限度範囲にあり、従って非常に差別化された分類が確実にされ得る食料製品のスライス方法を提供することである。
【０００５】
【発明の実施の形態】
この目的は、請求項１の特徴付け部分に記載された特徴による本発明によって満たされる。
【０００６】
表面に関する異なるコンポーネントのそれぞれの部分は、該製品の内部構造に関して検知され、例えば、赤身部分及び脂肪部分等の肉部分がコンポーネントとして選択可能である。
異なるコンポーネントの割合は、それぞれの製品の品質または価値において異なる効果をも有し得るので、本発明によって、異なる許容限度も異なるコンポーネントに対して予め設定され、重み係数も異なったコンポーネントに対して付与され得る。
【０００７】
それぞれのスライス厚も重み係数について考慮され得る。何となれば、一定重量部分の達成に関し、多くのスライス手順において、スライス厚が当該部分内で変化せしめられる故である。
個々に形成された部分が特定等級に関連する場合、不規則な順序において任意に連続して形成されるこれらの等級付けされた部分は、電子的にマークされ得る。そうすることにより、対応するマーキングまたは特徴付けは、各々の部分のパッケージングにおいて単純な方法にてなされ得る。
【０００８】
一般に、少なくとも一つの特定等級の部分が、ある製品から形成されて、予め設定された許容限度範囲外の製品スライスは、選別され送り出される。そして、それは製品生産領域に配置された運搬手段の対応する制御によりなされ得る。例えば、形成されたスライスの流路中にコンベア・ユニットを旋回させることによってなされ得る。
【０００９】
それぞれの製品スライスの表面が最小限の大きさに達しない時、これは、形成されたスライスの更なる分類基準としても使用され得る。
コンベアシステムは、当該切断ステーションに設けられた当該部分形成領域に関連するのが好ましく、これによって特定等級に属する製品スライス群またはこれらの製品スライスから群から形成される区分された部分が、製品形成領域と個々のパーキング位置との間を順に移動して、各々の部分が完成した後に運び出される。かかる移動動作のための十分な時間を得るために断続的な切断をなすことが出来ると共に、高速スライス処理も可能である。
(57)【特許請求の範囲】
【請求項１】
給水本管から分岐した給水枝管にウォーターカップが適宜配管され、飲料温水を配給する配管系に設置される畜舎用給水装置であって、断熱材で被覆され、その頂部に前記配管系に連結される給湯口が、その底部に前記配管系に連結される復帰水給水口及び水道水給水口が設けられた貯水筒の内部を隔壁によって上下に区画形成して隔壁下方側を加熱槽、隔壁上方側を貯留槽とし、当該隔壁に、前記加熱槽で加熱された水が前記貯留槽へ上昇移動する流通孔を穿設すると共に、前記加熱槽内に棒状の電気式ヒーターを立設して構成したことを特徴とする畜舎用給水装置。
【発明の詳細な説明】
【技術分野】
【０００１】
本発明は、牛、豚等の家畜に給水するために畜舎に設置する畜舎用給水装置に関する。
【背景技術】
【０００２】
従来、畜舎で使用する給水装置に関しては次のような問題点がある。すなわち、畜舎にあっては家畜の成育上畜舎内を外気温に近い温度にするオープンタイプの構造のものが採用されている。このため、冬季には畜舎内の温度がマイナスにまで低下することから給水装置や配管系の凍結を防止する必要がある。
【０００３】
そこで、この種の給水装置として、例えば図５に示すように、畜舎１６を包囲して配置された給水管１４から分岐管１４ａを設けて適宜ウォーターカップ１５を配置すると共に、ボイラーＢ、加圧ポンプＰ、水槽Ｗを組み合わせて、冬季においては家畜に温水を供給できるようにしたものがある。また、給排水本管を畜舎の床部内に配設し、配管系の凍結事故を防止するようにしたものが提案されている（特許文献１参照。）。
【０００４】
【特許文献１】特許第２８３５７１７号公報
【発明の開示】
【発明が解決しようとする課題】
【０００５】
しかしながら、ボイラー、加圧ポンプ、水槽を組み合わせた場合、装置自体のコストも高く、通常は燃料に重油を使用するのでランニングコストも嵩む。また循環した復帰水が一旦水槽に貯留されるので、保温性能が悪くなる。とくに温水の温度コントロールが困難である。本発明は上述した従来技術の問題点に鑑みなされたもので、低コストで、保温性能が高く温水の温度コントロールが容易にでき、冬季における配管系や装置自体の凍結を確実に防止することができる畜舎用給水装置を提供することを目的とする。
【課題を解決するための手段】
【０００６】
そこで、本発明の畜舎用給水装置は、給水本管から分岐した給水枝管にウォーターカップが適宜配管され、飲料温水を配給する配管系に設置される畜舎用給水装置であって、断熱材で被覆され、その頂部に前記配管系に連結される給湯口が、その底部に前記配管系に連結される復帰水給水口及び水道水給水口が設けられた貯水筒の内部を隔壁によって上下に区画形成して隔壁下方側を加熱槽、隔壁上方側を貯留槽とし、当該隔壁に、前記加熱槽で加熱された水が前記貯留槽へ上昇移動する流通孔を穿設すると共に、前記加熱槽内に棒状の電気式ヒーターを立設して構成したことを特徴とする。
【発明の効果】
【０００７】
本発明によれば、以下の優れた効果がある。
（１）畜舎用給水装置の貯水筒内を加熱槽と貯留槽とに区画して形成したので、構造が簡単で安価に製作できる。
（２）昇温に電気式のヒーターを使用しているので、重油に比して低ランニングコストで温水の温度コントロールも容易にできる。
（３）ウォーターカップに達した温水が流動できるように、ウォーターカップを分岐配管したので分岐管の凍結を防止することができる。
【発明を実施するための最良の形態】
【０００８】
次に、本発明の実施の形態を図面に示す実施例に基づいて説明する。
図１は本発明に係る給水装置の正面図、図２（ａ）は本発明に係る給水装置の一部断面正面図、（ｂ）は隔壁の平面図、図３は本発明に係る給水装置の要部拡大一部断面図、図４は本発明に係る給水装置と配管系を模式的に示す平面図、図５は従来の給水装置と配管系を模式的に示す平面図である。
【実施例】
【０００９】
図１乃至図３に示すように、給水装置１は全体を断熱材３で被覆した円筒形状の貯水筒２からなっており、貯水筒２の頂部に給湯口４が、底部に復帰水給水口５及び水道水給水口６が開設されると共に、複数の支持脚７でもって立設される。
【００１０】
貯水筒２の内部は隔壁１１によって加熱槽２ａ及び貯留槽２ｂが上下に区画形成されており、隔壁１１には加熱槽２ａから貯留槽２ｂへ飲用水を移動させるための流通孔１１ａが穿設されている。
【００１１】
加熱槽２ａにはその中央に棒状の電気式ステンレスヒーター１０が立設されており、加熱槽２ａに流入した水道水あるいは復帰水を２５℃〜３０℃に加熱する。加熱された飲用水は隔壁１１の流通孔１１ａを通り貯留槽２ｂに上昇して温水として貯留されると共に、給湯口４から給水本管１４に配出される。ここで、貯留槽２ｂには制御盤８に接続された温度センサー９が内設されており、貯留槽２ｂ内の水温が常に２５℃〜３０℃になるようにステンレスヒーター１０のスイッチのオンオフを制御する。
【００１２】
図中、１２は循環ポンプであり、給水本管１４に飲用水を循環させると共に、給水装置１への復帰水を加熱槽２ａに流入させる。また、１３は外気が低温状態の時、管内の凍結を防止するため水抜きを行う低温作動弁である。
【００１３】
こうして本給水装置１により加熱された飲用水は、図４に示すように、畜舎１６の周囲の配管された給水本管１４内を循環し、家畜に授水するための器具である複数のウォーターカップ１５に配給される。ここで、ウォーターカップ１５の両端には、給水本管１４から分岐した給水枝管１４ａ並びに１４ｂが連結され、給水管１４から配水されウォーターカップ１５に達した温水が流動できるようにされ、給水枝管１４ａ並びに１４ｂ内での水の凍結が防止できるようにされている。
【産業上の利用可能性】
【００１４】
尚、本発明は上記実施例に限定されず、種々の応用変形が可能である。例えば、水道水に代えて地下水を飲用水として供給するものでも良い。
【図面の簡単な説明】
【００１５】
【図１】本発明に係る給水装置の正面図である。
【図２】（ａ）は本発明に係る給水装置の一部断面正面図、（ｂ）は隔壁の平面図である。
【図３】本発明に係る給水装置の要部拡大一部断面図である。
【図４】本発明に係る給水装置と配管系を模式的に示す平面図である。
【図５】従来の給水装置と配管系を模式的に示す平面図である。
【符号の説明】
【００１６】
１      給水装置
２      貯水筒
２ａ    加熱槽
２ｂ    貯留槽
３      断熱材
４      給湯口
５      復帰水給水口
６      水道水給水口
７      支持脚
８      制御盤
９      温度センサー
１０    電気式ステンレスヒーター
１１    隔壁
１１ａ  流通孔
１２    循環ポンプ
１３    低温作動弁
１４    給水本管
１４ａ  給水枝管
１４ｂ  給水枝管
１５    ウォーターカップ
１６    畜舎
Ｂ      ボイラ
Ｐ      加圧ポンプ
Ｗ      水槽
【図１】
0004465624.tif 000002
【図２】
0004465624.tif 000003
【図３】
0004465624.tif 000004
【図４】
0004465624.tif 000005
【図５】
0004465624.tif 000006
(57)【特許請求の範囲】
【請求項１】
葉もの野菜のうち少なくとも一以上の食材を、刻み、蒸し上げ、砕き、酒蒸し、煮付け、煎り上げ、蒸気煎り仕上げ、と順次７種類の加工工程を行うことを特徴とする葉もの野菜の黒々としたペースト状の海苔の佃煮状の佃煮の製造方法。
【請求項２】
葉もの野菜のうち少なくとも一以上の食材を、刻み、蒸し上げ、砕き、酒蒸し、煮付け、煎り上げ、蒸気煎り仕上げ、乾燥、砕き、と順次９種類の加工工程を行うことを特徴とする葉もの野菜の黒々としたペースト状の海苔の佃煮状の佃煮粉末の製造方法。
【請求項３】
前記請求項１に記載の製造方法により得られる葉もの野菜の黒々としたペースト状の海苔の佃煮状の佃煮。
【請求項４】
前記請求項２に記載の製造方法により得られる葉もの野菜の黒々としたペースト状の海苔の佃煮状の佃煮粉末。
【発明の詳細な説明】
【発明の詳細な説明】
【０００１】
〔産業上の利用分野〕
この発明は，葉もの野菜の海苔を創り，どんな葉もの野菜も佃煮になるという事に着目した葉もの野菜の黒々としたペースト状の海苔の佃煮状の佃煮とその製造方法に関するものである。
【０００２】
〔従来の技術〕
従来の海苔の佃煮とは，海苔をベースにして椎茸や葉唐辛子などを佃煮としているものであり野菜だけを海苔状にして佃煮としているものは無かった。
【０００３】
〔発明が解決しようとする課題〕
海苔の佃煮が主に御飯やお茶漬けなどの友でしたが，色々な野菜や山菜があるのだから，葉もの野菜の黒々としたペースト状の海苔の佃煮状の佃煮を創ったら新しい味と香りの恵みを得る事ができるものであると確信して多数の葉もの野菜の黒々としたペースト状の海苔の佃煮状の佃煮を創り，研究しながら開発を続けた。
【０００４】
〔課題を解決する手段〕
その結果は，７種類の加工工程を正しく行う事によって葉もの野菜の黒々としたペースト状の海苔の佃煮状を創り上げ，従来に無かった味と香りの画期的な葉もの野菜の黒々としたペースト状の海苔の佃煮状の佃煮の発明を完成させることができた。
【０００５】
〔作用〕
本発明で野菜各種を佃煮にする事により保存期間も長くなり，生野菜やお浸し，ジュース，ペーストなどの味と香りの食べ方を著しく変えることができたのも，調理の加工工程を研究した事によって成功したものである。
【０００６】
（実施例１）
本発明は、葉もの野菜のうち少なくとも一以上の食材に、刻み、蒸し上げ、砕き、酒蒸し、煮付け、煎り上げ、蒸気煎り上げ、の加工工程を順序良く行い、葉もの野菜の黒々としたペースト状の海苔の佃煮状の佃煮を製造するものである。かかる加工工程を辛子菜の場合を例に説明するならば、辛子菜を洗い刻んで蒸し器で蒸し上げ、ミキサーで適当に砕き、酒を入れて落し蓋をして水分が少なくなるまで蒸し上げ、食品添加物・防腐剤は一切使用せずに、醤油、味噌、味醂などを使って果実酢、梅酢を組み合わせて味付けをした煮汁により煮付けし、再度水分が無くなってくるまで煎り上げ、最後に蒸気を使って仕上げの煎り上げを行い、黒々となってきたらできあがりである。
（実施例２）
また、本発明は、葉もの野菜の食材に、刻み、蒸し上げ、砕き、酒蒸し、煮付け、煎り上げ、蒸気煎り上げ、乾燥、砕き、の加工工程を順序良く行い、葉もの野菜の黒々としたペースト状の海苔の佃煮状の佃煮粉末を製造するものである。かかる加工工程を辛子菜の場合を例に説明するならば、上記実施例１によりできあがった辛子菜による野苔の佃煮について、さらに乾燥させることで得られた乾燥物を、ミキサー等で粉末状に砕くことで完成する。
【０００７】
〔効果〕
この発明によれば葉もの野菜を黒々としたペースト状の海苔の佃煮状の佃煮にすることによって今までは食べたことの無かった野菜も，味も香りも生まれ変わってくるから食べられるといった，楽しい家族の食卓を迎えることもできるのです。また従来からある，お茶漬けのりなどに葉もの野菜の黒々としたペースト状の海苔の佃煮状の佃煮を入れて食べると、何倍も美味しくなる事は，毎日のように食べ続けた結果の答えである。副菜としての素晴らしい葉もの野菜の黒々としたペースト状の海苔の佃煮状の佃煮を発明したことにより日本の老人王国の人々に対して御飯の友，おにぎりの具，非常食缶詰，お土産品，特にお茶漬けの友などとして日本古来の米食に夢と喜びを与え，佃煮の歴史に著しい進歩と発展を確実に得る事のできる葉もの野菜の黒々としたペースト状の海苔の佃煮状の佃煮である。
(57)【特許請求の範囲】
【請求項１】
野菜または果物を含む食品を球形に造形するバイトであって、 
取手と、取手につながる円柱形の主杆と、半球碗形の刀を含み、 
主杆と半球碗形の刀との間には連接杆が存在し、主杆は当該連接杆につながり、 
半球碗形刀の半球面上には立体の穴が設けられ、当該穴の周辺には刃が設けられており、 
半球碗形刀の縁部分と主杆は４５〜６０度の角度になっていることを特徴とするバイト。 
【発明の詳細な説明】
【技術分野】
【０００１】
食品を加工するバイトに関連する。特に食品を加工する為の回しボール取りバイトであり、比較的に硬い野菜と果物から、とても完璧な球体品を加工するバイトに関連する 
【背景技術】
【０００２】
食品の飲食業の中で、通常いくつか造形の製品を加工することが行われている。そしてこれらの造形の製品は、バイトを用いて加工してなる。近ごろ、食品を加工することに用いられて、例えば野菜、果物を造形するバイトの種類は非常に多い。原料加工で球形にするバイトにおいて、現在このようなバイトは半球形碗の刀構造であり、これは球形の製品だけを加工することができて、作ると同時にその中部であんに埋めることができない。 
先行する特許文献については、調べた結果、関連文献が特にない。 
【発明の開示】
【発明が解決しようとする課題】
【０００３】
従来のバイトは半球形碗の刀構造で、半球形のてっぺんに穴がひとつある。この穴は、操作の時、成形する製品との間の気体を排放するために作られている。この穴は排気穴とよばれる。取っ手の主杆と半球碗形の刀は直線平行構造で、操作する時の抵抗力は割りに大きく、それに対して作用する力は不合理である。また、半球碗形の刀は原料の最適部位に挿すことができないので、製作される球体はあまり丸くない。 
【０００４】
本発明の目的は、上述した技術の欠陥を克服し、野菜や果物などの食品からとても完璧な球体品を成形する回しボール取りバイトを提供するものである。本発明のバイトは半球碗形の刀を原料の最適部位に挿すことで、操作便利で、比較的に硬い野菜と果物の上でとても完璧な球体を得ることができる。 
【課題を解決するための手段】
【０００５】
本発明にかかるバイトは、回してボールを成形するバイトに関連する。かかるバイトは取手の主杆と半球形の刀の碗を含み、その中の主杆は半球碗形の刀との間にある連接杆につながる。半球碗形の刀は円柱形の主杆と４５〜６０度の角度になっている。半球碗形刀の半球面の上には立体形の孔があって、孔の周辺は削って、作用する刃を持つ。この刃は球体の上で余分な部分を取り除いて、その結果、球体は更に丸く、外形は美しくなる。 
【発明の効果】
【０００６】
このバイトにおける半球碗形の刀は、原料の最適部位に挿し付けられ、比較的に硬い野菜と果物の上でとても完璧な球体を得る。 
【発明の実施するための最良の形態】
【０００７】
以下、本発明の実施の形態を図１〜３に基づいて説明する。 
【０００８】
図１を参照して、実用的な新型の技術の方案を、以下のように採択して実現に至った。この実用的な新案の餡入りの機能付きのボールを回し取るバイトは、取手１と主杆２と半球碗形の刀４を含み、その中の主杆２は、半球碗形の刀４との間に存在する連接杆３につながる。半球碗形刀４の縁部分と主杆１は４５〜６０度の角度になっている。半球碗形刀４の半球面の上には立体の穴５があって、穴の周辺は削って、作用する刃６が設けられている。この刃は球体の上で余分な部分を取り除くことができる。半球碗形刀４の周辺には刃７がある。 
【０００９】
図２、３参照して、図において半球碗形刀４は、１つまたはいくつかのいろいろな形の穴５を有し、穴の周辺は削られて、作用する刃６がある。この刃は球体の上で余分な部分を取り除いて、球体は更に丸く、外形は美しくなる 
【００１０】
半球碗形刀は一定の硬度が必要なため、穴５の面積は半球碗形刀総面積の７５％を上回らない、６０％を上回らないのが最もよい。 
【００１１】
穴５に付いている刃６の方向と、半球碗形刀の周辺の切削する刃の方向をできるだけ一致させる。 
【図面の簡単な説明】
【００１２】
【図１】回しボール取りバイトの説明図
【図２】半球碗形刀と設置の穴の一例実施説明図
【図３】半球碗形刀と設置の穴別の一例実施説明図
【図１】
0004585829.tif 000002
【図２】
0004585829.tif 000003
【図３】
0004585829.tif 000004
(57)【特許請求の範囲】
【請求項１】
底部に底面パネルを有しない動物捕獲器において、該捕獲器の側面枠の下端周囲内側に、適宜な幅を有し、かつ、周囲に、適宜な立ち上がり片を形成し、該立ち上がり片に、連結用のボルト・ナットを挿入する穴を形成したパネル或いは網材等の防止片を、複数枚設け、これら各防止片を、防止片どうし、あるいは側面枠と一体に連結具（Ｘ）で連結・固定したことを特徴とする動物捕獲器における逃走防止構造。
【発明の詳細な説明】
【０００１】
【産業上の利用分野】
この発明は、動物捕獲器における逃走防止構造に関する。
【０００２】
【従来の技術】
近年、猪等の野生動物による農作物の被害が増大する傾向にあり、こうした被害を防止するために、動物捕獲器を設けているが、猪は、捕獲された際、底面にパネルを有しない捕獲器では、図５に示すように、その側面枠から地面を掘り起こして逃走する習性があり、底面パネルを、底面全面に張った構造の動物捕獲器を用意したり、また、底面パネルのない動物捕獲器の場合には、図６に示すように四周を地中２０〜３０ｃｍ堀り、側面枠を埋めておく必要があった。
【０００３】
しかし、このような底面パネルを有する動物捕獲器では、その運搬や設置、あるいは組み立て式の場合は、その施工作業や組み立て作業は、なおさらその設置作業が煩雑であった。
【０００４】
【発明が解決しようとする課題】
そこで、この発明は、上記の欠点を除去し、底面パネルを設けない動物捕獲器であって、しかも、作業が簡単であり、捕獲動物が地面を掘り起こして逃走することのない動物捕獲器における逃走防止構造を開発・提供することにある。
【０００５】
【課題を解決するための手段】
課題を解決するために本発明は、動物捕獲器本体において、側面枠の下端周囲内側に、適宜な幅を有するパネルを、側面枠及びパネルとを連結・固定したことを特徴とする動物捕獲器における逃走防止構造であり、さらに、パネルが、底板の周囲に、適宜な高さを有する立ち上がり片を設け、該立ち上がり片に、連結用のボルト・ナットを挿入する穴を、複数設けたことを特徴とする動物捕獲器における逃走防止構造である。
【０００６】
【発明の実施の形態】
本発明の実施の形態を添付図面に従って以下説明すると、底面パネルを有しない動物捕獲器本体（１）において、側面枠（２）の下端周囲内側に、適宜な幅を有する防止片（３）を設け、該防止片（３）どうし、あるいは、側面枠とを連結・固定したことを特徴とする動物捕獲器における逃走防止構造から構成されるものである。
【０００７】
なお、この動物捕獲器本体（１）は片面に扉を設けたものが示されているが、扉は両面に設けたものであってもよい。
【０００８】
さらに、防止片（３）の一例としては、パネルを図示しているが、底板の周囲に、適宜な高さを有する立ち上がり片（３ａ）を設け、該立ち上がり片（３ａ）に、連結用のボルト・ナット等の連結具（Ｘ）を挿入する穴（４）を、複数設けたものであり、また、材料の節約、あるいは軽量に運搬する手段として、防止片（３）の底板にも、適宜な径を有する穴（３ｂ）を穿設してもよいものである。
【０００９】
そして、それぞれの防止片（３）は、図３に示すように、パネル間で連結具（Ｘ）で連結され、かつ、動物捕獲器本体（１）の側面枠（２）の下端周囲内側にも、それぞれ連結具（Ｘ）で連結されるものである。
【００１０】
【発明の効果】
本発明は以上の構成よりなるものであり、底面パネルを有しない動物捕獲器本体（１）において、側面枠（２）の下端周囲内側に、適宜な幅を有する防止片（３）を設け、該防止片（３）どうし、あるいは側面枠（２）とを連結具（Ｘ）で連結・固定したことにより、猪のように地面を掘って逃走しようとしても、防止片（３）によって側面枠（２）の内側から外側への幅が広くなるため、その幅を越えて掘って逃げることは不可能であり、逃走を防止することが出来るものである。
【００１１】
また、動物捕獲器本体（１）の底部には、側面枠の下端周囲内側に、防止片（３）を設けたことにより、捕獲器本体（１）が、全面に、底面パネルを設けなくても堅牢になり、底面の内部には地面をそのまま利用できる等極めて有益なる効果を奏するものである。
【図面の簡単な説明】
【図１】本発明の一実施例を示す一部欠截斜視図である。
【図２】本発明の一実施例を示す一部欠截側面図である。
【図３】本発明の一実施例を示すパネルの連結状態を示す斜視図である。
【図４】本発明の実施状態を示す一部欠截側面図である。
【図５】従来例を示す一部欠截側面図である。
【図６】従来例を示す一部欠截側面図である。
【符号の説明】
１  動物捕獲器本体
２  側面枠
３  防止片
３ａ  立ち上がり片
４  穴
Ｘ  連結具
【図１】
0004585715.tif 000002
【図２】
0004585715.tif 000003
【図３】
0004585715.tif 000004
【図４】
0004585715.tif 000005
【図５】
0004585715.tif 000006
【図６】
0004585715.tif 000007
(57)【特許請求の範囲】
【請求項１】
振動板と固定極との間に所定の成極電圧を印加してなるマイクユニットを有するコンデンサマイクロホンにおいて、
上記マイクユニットの近傍に、上記成極電圧よりも高い電圧に設定された集塵電極が配置されていることを特徴とするコンデンサマイクロホン。
【請求項２】
上記集塵電極がエレクトレット材よりなることを特徴とする請求項１に記載のコンデンサマイクロホン。
【発明の詳細な説明】
【０００１】
【発明の属する技術分野】
本発明はコンデンサマイクロホンに関し、さらに詳しく言えば、そのマイクユニットの防塵技術に関するものである。
【０００２】
【従来の技術】
コンデンサマイクロホンは、振動板と固定極とを所定の間隔をもって対向配置してなるマイクユニットを備え、その振動板と固定極との間に通常１００Ｖ程度の成極電圧（ＤＣバイアス）を印加してコンデンサを形成させ、振動板の振動による静電容量変化を例えばインピーダンス変換器を介して音声信号として取り出すようにしている。
【０００３】
このように、マイクユニットには成極電圧が印加されるが、その成極電圧によって発生する静電吸引力により、マイクユニットに塵や埃が付着しやすくなる。これを防止するため、従来では、ウレタンフォームなどの多孔質素材もしくはナイロンメッシュや不織布などの通気性の高い素材による集塵フィルタをマイクユニットに被せるようにしている。
【０００４】
【発明が解決しようとする課題】
しかしながら、録音スタジオなどで使用される収音用コンデンサマイクロホンにおいては、上記のように集塵フィルタをマイクユニットに被せることは、音質や外観の点で好ましくないため、マイクユニットを剥き出し状態としたまま外筐（ウインドスクリーン）内に収めるようにしている。
【０００５】
したがって、長期にわたって使用していく間に、成極電圧によって発生する静電吸引力により、マイクユニットに塵埃が徐々に堆積し、これに湿度が加わると成極電圧が漏洩してノイズを発生させる。なお、定期的にマイクユニットを清掃するにしても、エレクトレット型コンデンサマイクロホンでは常時成極電圧が掛けられているため、塵埃をきれいに除去することが困難であった。
【０００６】
本発明は、上記課題を解決するためになされたもので、その目的は、音質や外観を損なうことなく、マイクユニットへの塵埃の付着を防止することができるようにしたコンデンサマイクロホンを提供することにある。
【０００７】
【課題を解決するための手段】
上記目的を達成するため、本発明は、振動板と固定極との間に所定の成極電圧を印加してなるマイクユニットを有するコンデンサマイクロホンにおいて、上記マイクユニットの近傍に、上記成極電圧よりも高い電圧に設定された集塵電極が配置されていることを特徴としている。
【０００８】
集塵電極は、ほぼ半永久的に帯電状態を維持するエレクトレット材であることが好ましいが、高電圧発生回路から電圧が印加される板状電極，線状電極もしくは針状電極であってもよい。
【０００９】
【発明の実施の形態】
次に、図面を参照しながら、本発明の実施形態について説明する。図１は実施形態に係るコンデンサマイクロホンの正面側断面図で、図２はその側面側断面図である。なお、この実施形態に係るコンデンサマイクロホン１０は、マイクスタンドに取り付けて使用されるスタンド型マイクロホンであるが、本発明はこの型式のマイクロホンに限定されない。
【００１０】
このコンデンサマイクロホン１０は、図示しないマイクスタンドに支持されるマイク本体１１と、マイク本体１１上に被せられる外筐（ウインドスクリーン）１２とを備えている。
【００１１】
マイク本体１１の上部にはユニットマウント１３が搭載されており、このユニットマウント１３上にマイクユニット１４が取り付けられている。また、マイク本体１１内には例えばＦＥＴからなるインピーダンス変換器や信号増幅回路などを含む電気回路基板１５が収納されている。
【００１２】
この実施形態において、マイクユニット１４は固定極の両側に振動板を配置してなるダブルダイヤフラム型であるが、通常のシングルダイヤフラム型であってもよい。また、成極電圧はエレクトレット材から得てもよいし、電気回路基板１５に成極電源を搭載して、その成極電源から成極電圧を得てもよい。
【００１３】
本発明によると、マイクユニット１４の近傍に集塵電極１６が設けられる。この実施形態において、集塵電極１６はエレクトレット材１６１からなり、ユニットマウント１３の内の位置的にマイクユニット１４にもっとも近い上縁に沿って環状に配置されている。
【００１４】
エレクトレット材１６１には、マイクユニット１４の成極電圧よりも高い電圧が帯電されている。例えば、マイクユニット１４の成極電圧が５０〜１００Ｖ程度であるとして、エレクトレット材１６１には２ｋＶ程度の高電圧が帯電されることが好ましい。
【００１５】
これによれば、外筐１２内に浮遊する塵埃は、マイクユニット１４の成極電圧よりも高い静電吸引力にてエレクトレット材１６１に引き寄せられて、同エレクトレット材１６１に捕捉される。
【００１６】
なお、エレクトレット材１６１をユニットマウント１３の上縁に沿って配置する場合、図１，２に示すように、ユニットマウント１３の上縁肩部にマイクユニット１４側から見て山裾となるようなテーパ面を形成することが、集塵効果を高めるうえで好ましい。
【００１７】
上記実施形態と異なり、集塵電極１６として板状電極，線状電極もしくは針状電極を用いてもよく、このような電極構造によれば、エレクトレット材１６１よりも集塵電極をマイクユニット１４により近づけることができる。
【００１８】
その反面、この場合には、集塵電極１６に高電圧を印加する高電圧発生回路が必要となるが、マイク本体１１の電気回路基板１５に、マイクユニット１４用の成極電源が搭載されている場合には、その成極電源から例えば倍電圧整流回路などにより集塵電極用の所定の高電圧を得ることができる。
【００１９】
【発明の効果】
以上説明したように、本発明によれば、振動板と固定極との間に所定の成極電圧を印加してなるマイクユニットを有するコンデンサマイクロホンにおいて、マイクユニットの近傍に、その成極電圧よりも高い電圧に設定された集塵電極を配置することにより、音質や外観を損なうことなく、マイクユニットへの塵埃の付着を防止することができる。
【図面の簡単な説明】
【図１】本発明の実施形態に係るコンデンサマイクロホンの正面側断面図。
【図２】上記コンデンサマイクロホンの側面側断面図。
【符号の説明】
１０  コンデンサマイクロホン
１１  マイク本体
１２  外筐
１３  ユニットマウント
１４  マイクユニット
１５  電気回路基板
１６  集塵電極
１６１  エレクトレット材
【図１】
0004585722.tif 000002
【図２】
0004585722.tif 000003
(57)【特許請求の範囲】
【請求項１】
ランセットを前方へ突出させる手段を有するハウジングを有し、前記ランセットの先端が瞬間的に前記ハウジングの鼻部（１）内の孔（３）から突出し、前記孔（３）が前記ランセットの運動方向に対して概ね垂直の台（２）内にある皮膚プリッカにおいて、複数の突起（４）が前記ランセットにより穿刺されるべき点に隣接して使用者の皮膚を押圧するために前記台（２）上に設けられていることを特徴とする皮膚プリッカ。
【請求項２】
前記台（２）は円形であり、その中心部に前記孔（３）を有し、前記突起（４）は前記孔のまわりで環状に配列されていることを特徴とする、請求項１に記載の皮膚プリッカ。
【請求項３】
前記突起はテイパを付けたスタッドであることを特徴とする、請求項１または２に記載の皮膚プリッカ。
【発明の詳細な説明】
【０００１】
本発明は皮膚プリッカに関する。
多くの異なる種類の皮膚プリッカがあり、その殆どが廃棄可能ランセットを発射するばね装填装置である。幾つかのプリッカ装置は一回使用後に全体を廃棄できる。しかし、その形態がなんであれ、使用者の皮膚を刺しかつ痛みを負わせることを回避できない。これは取るに足りない一時的なことであるが、多くの使用者はその減少を望みかつその除去の解消は容易にではない。
【０００２】
本発明の課題は、痛みを減少しないまでも、少なくとも痛みから注意をそらすことを目的とする。
【０００３】
本発明によれば、ランセットを前方へ突出させる手段を有するハウジングを含み、前記ランセットの先端が瞬間的に前記ハウジングの鼻部の孔から突出し、前記孔が前記ランセットの運動方向に対して概ね垂直の台内にある皮膚プリッカを提供する。かかる皮膚プリッカにおいて、突起が前記台上に設けられていて、前記ランセットにより穿刺される点に隣接して使用者の皮膚を押圧することを特徴とする。
【０００４】
前記台は、通常、円形であり、その中心部に前記孔を有し、かつ前記突起は前記孔のまわりで環状に配列されていることが便利である。錐形スタッドが効果的であるが、ホイールのスポークのように配列された鋸歯または細長い歯等の他の形状が前記突起として使用できる。いずれにしても、その形状、寸法、および間隔は、皮膚に押し当てたときに、使用者が痛みとしてではなく、僅かに不快な点として感じるようなものである。その効果は近接している穿刺領域において神経を混乱させ、それによりランセットにより突き刺されたときに、気にならないようなものである。
【０００５】
提案された装置は、例示として図面に示されている。図面はランセット発射装置（lancet firing device)または皮膚プリッカの鼻形錐体の斜視図である。
鼻形錐体１は環状台２の前方端部で鼻形錐体の軸に対して直角に終端している。ランセット（図示せず）の先端は中心孔３から突出する。スタッド４の環状列は中心孔３を囲繞し、台２よりも僅かに盛り上がっている。各スタッド４はほんの僅かに丸くすることにより鈍角化した尖端を有する浅い円錐に形成されている。
【０００６】
このようにして、使用時に、刺点のまわりで皮膚を押圧する１２の点（図示例において）が形成されている。
理解されるように、スタッド４の数および配列、ならびに寸法および形状は異ってよい。例えば、スタッド列は、概ねピラミッド形のスタッドにより、前記孔をジグザグ状態で囲繞するようなものであってよい。選択的に、１列が他方の列の外側となり、異なる数量による異なる間隔をおくスタッドにより２列形態に形成されてよく、かつ内側の列と比較して他方の列が異なる寸法および異なる形状のスタッドにより形成されてよい。同様に、上述したように鋸歯または他の歯の形態を選択できる。
【０００７】
代表的孔３は３−４ｍｍの直径を有し、図面はこの場合に効果的と考えられているスタッドの寸法を示す。ただし、この寸法は限定することを意図していない。スタッドの寸法の範囲はまったく自由に選択でき、使用者が試しに誤って選択する寸法かつ／またはパターンの殆どが有益である。
【図面の簡単な説明】
【図１】  本発明による皮膚プリッカの鼻形錐体の斜視図である。
【図１】
0004579480.tif 000002
(57)【特許請求の範囲】
【請求項１】
乾燥状態にある高分子多孔質膜上の一定面積に、当該面積に対応する一定量の尿または脳髄液である検体を点着し、固定化した上で可視状態にし、濃度を測定する方法において、前記膜をあらかじめ変性させて検体吸収部分以外に検体がしみこまない加工である、前記膜を単一膜のまま加工に供し、正円状の検体吸収部分を残し熱または圧力によって変性させるものである加工を施してなる点着支持体を用いることを特徴とするとともに、検体点着用具が当該点着支持体に接触することなく一定量の検体を添加することを特徴とする、簡便に、一定面積の正円状に偏り、歪み、ムラなく検体を吸収することを可能とした、検体点着方法。
【発明の詳細な説明】
【技術分野】
【０００１】
本発明は、試料を添加しやすい点着方法に関する技術分野に属する。
【背景技術】
【０００２】
従来より、微量の蛋白質を高感度にかつ簡便に多数の検体を定量する方法として、セルロースアセテート膜による銀染色高感度微量蛋白定量法が用いられている（特許文献１）。これは、乾燥状態にある高分子多孔質膜上に一定量の尿、脳髄液等の検体を点着し、微量蛋白質を固定化した上で銀を特異的に結合させて可視状態にし、デンシトメーターにて濃度を測定する方法である。なお、デンシトメーターを用いて正確な測定結果を得るためには、一定量の試料をセルロースアセテート膜の一定面積に偏り・歪みなく点着する必要があることがわかっている（非特許文献１、ｐ１０４〜１０５参照）。
【０００３】
点着はマイクロピペットに装着したチップ１２やキャピラリーガラス管４の端を検体６に浸して吸引し（図２ａ）、そのままチップ１２の先端や管４の切り口を垂直に支持体１に接触させ（図２ｂ）、支持体１に検体を吸収させる（図２ｃ、ｄ）ことで実施されている。
【０００４】
一定量の試料を一定面積に偏り・歪みなく点着する、すなわち点着後の像をムラのない常に同じ大きさの正円とするには、正確に３マイクロリットルをはかりとり、マイクロピペットやキャピラリーガラス管に吸引された検体がすべて支持体に吸収されるまでの間マイクロピペットやキャピラリーガラス管の端を一定の力で垂直に接触させつづければよい（図２ｂ、ｃ）。このとき、支持体に傷がつくとその部分の濃度が変化するため、傷をつけないよう接触する力を加減しなければならない。
【特許文献１】特開平２００２−２３６１２７号公報
【非特許文献１】橋本寿美子「セルロースアセテート膜電気泳動法」、臨床検査第２６巻１号ｐ９９〜１０７、医学書院、１９８２年
【発明の開示】
【発明が解決しようとする課題】
【０００５】
点着を多数回繰り返すこと、とくに折れやすいキャピラリーガラス管を手に持ち点着を行うことは、非常に煩雑であった。
【０００６】
また、点着後の像をムラのない常に同じ大きさの正円とすること、および支持体を傷つけないよう力を加減することは、熟練が必要だった。
【課題を解決するための手段】
【０００７】
本発明は、あらかじめ支持体の検体吸収部分以外に検体がしみこまない加工を施すことにより、一定量の検体を正円状に点着する方法を提供する。
【０００８】
加工は、内径７ミリメートル、外径は任意の円筒を垂直に回転させながらセルロースアセテート膜に押し当て、検体を吸収させようとする部分の周囲に検体がしみこまない円環を描くことによる。また、フィルム用シーラーのシール部分幅約１ミリメートルを内径７ミリメートルの円状に形成し、セルロースアセテート膜に接触させるのでもよい。さらに、検体を吸収する正円部分を除いたすべての部分に水のしみこまない加工を施してもよい。
【発明の効果】
【０００９】
加工により描かれた検体がしみこまない円環の内部の任意の場所に一定量の検体をたらすだけで、点着後の像をムラのない常に同じ大きさの正円とすることができ、簡単確実に点着できるようになった。また、ピペットやキャピラリーガラス管を支持体に接触させる必要がなくなったため、接触部分のみ濃度が高くなるムラを防ぐことができた。
【発明を実施するための最良の形態】
【００１０】
［実施例１］
内径７ミリメートル、外径は任意の円筒８を垂直に回転させながらセルロースアセテート膜１に押し当て（図３ａ）、検体を吸収させようとする部分の周囲を圧力により変性させ（図３ｂ）、点着用支持体を作製した。例として、４８検体用の点着用支持体を図１に示す。次に、チップ１２を装着したマイクロピペットで３マイクロリットルを正確にはかりとり、チップ１２の先端を作製した点着用支持体に接触させずに検体吸収部に滴下した（図５ａ）。検体を滴下した場所が検体吸収部の円の中心部分あるいは中心からずれた部分であるのにかかわらず（図５ａ）、検体はそれぞれ同じ大きさの正円となって広がり、吸収された（図５ｂ）。
【００１１】
［実施例２］
フィルム用シーラーのシール部分幅約１ミリメートルを内径７ミリメートルの円状に形成してシーラー１０とし、通電してセルロースアセテート膜に接触させ（図４ａ）、当該膜の検体を吸収させようとする部分の周囲を円環状に熱変性させて検体がしみこまないように加工した（図４ｂ）。次に、実施例１と同様に、チップ１２を装着したマイクロピペットで３マイクロリットルを正確にはかりとり、チップ１２の先端を作製した点着支持体に接触させずに検体吸収部に滴下（図５ａ）したところ、検体はそれぞれ同じ大きさの正円となって広がり、吸収された。
【産業上の利用可能性】
【００１２】
銀染色高感度微量蛋白定量法が手軽に行えるようになり、その後の蛋白分画による病態解析がより簡便に実施でき、腎疾患の診断治療および研究に寄与する。
【図面の簡単な説明】
【００１３】
【図１】点着用支持体の平面図である。
【図２】従来の点着方法の説明図である。
【図３】実施例１の点着支持体作製方法の説明図である。
【図４】実施例１の効果の検証の説明図である。
【図５】実施例２の点着支持体作製方法の説明図である。
【符号の説明】
【００１４】
１  支持体
２  加工によって描かれた検体がしみこまない円環
３  検体吸収部
４  キャピラリーガラス管
５  試験管
６  検体
７  支持体に吸収され保持された検体
８  円筒
９  圧力により変性した部分
１０  シーラー
１１  熱変性部分
１２  チップ
【図１】
0004579752.tif 000002
【図２】
0004579752.tif 000003
【図３】
0004579752.tif 000004
【図４】
0004579752.tif 000005
【図５】
0004579752.tif 000006
(57)【特許請求の範囲】
【請求項１】
筒に内接するピストンにシャフトを取り付け、該シャフト上部にハンドルを設け、球形の逆止弁（７）を吸込口側に設けると共に、該逆止弁（７）に逆止弁ガードを設け、球形の逆止弁（１１）を吐水管側に設け、該吐水管は前記筒に併設され下端が前記筒の下部に連接された筒状であって，該吐水管の上端にプラグを設け、吸込口に吸込ホースを取り付け、吐水管の吐水口に吐水ホースを取り付け、吐水口はプラグ下端から逆止弁（１１）の直径長以上下方の吐水管の側面部に設けられていて，本体下部に足踏み板を設け、
ハンドルを上げると、ピストンが上昇し、逆止弁（１１）は吐水管内部を塞ぎ、逆止弁（７）は逆止弁ガードまで移動して、水が吸込ホースより筒の中に吸い込まれ、
ハンドルを下げるとピストンが降下して筒の中が加圧され、逆止弁（７）は下がり、吸込口を塞ぎ、逆止弁（１１）が吐水管の上端のプラグまで移動し、筒内の加圧された水が吐水ホースより出る如く形成したことを特徴とする手押し式の携帯水ポンプ。
【発明の詳細な説明】
【技術分野】
【０００１】この発明は、水を汲み上げる時、どこへでも携帯できる、手押し式の水ポンプに関するものである。
【背景技術】
【０００２】  従来、水を汲み上げる時、水の中にポンプを設置し、汲み上げなければならなかった。
【発明の開示】
【発明が解決しようとする課題】
【０００３】  これは次のような欠点があった。
（イ）汲み上げる水が下の方にある場合、汲み上げるのが困難であった。
（ロ）水を上の方へ汲み上げる場合、汲み上げは困難であった。
【課題を解決するための手段】
【０００４】
筒に内接するピストンにシャフトを取り付け、該シャフト上部にハンドルを設け、球形の逆止弁（７）を吸込口側に設けると共に、該逆止弁（７）に逆止弁ガードを設け、球形の逆止弁（１１）を吐水管側に設け、該吐水管は前記筒に併設され下端が前記筒の下部に連接された筒状であって，該吐水管の上端にプラグを設け、吸込口に吸込ホースを取り付け、吐水管の吐水口に吐水ホースを取り付け、吐水口はプラグ下端から逆止弁（１１）の直径長以上下方の吐水管の側面部に設けられていて，本体下部に足踏み板を設け、ハンドルを上げると、ピストンが上昇し、逆止弁（１１）は吐水管内部を塞ぎ、逆止弁（７）は逆止弁ガードまで移動して、水が吸込ホースより筒の中に吸い込まれ、ハンドルを下げるとピストンが降下して筒の中が加圧され、逆止弁（７）は下がり、吸込口を塞ぎ、逆止弁（１１）が吐水管の上端のプラグまで移動し、筒内の加圧された水が吐水ホースより出る如く形成する。
本発明は、以上の構成よりなる手押し式の携帯水ポンプである。
【発明の効果】
【０００５】  上述の構成のように、人力で水を汲み上げる事が出来る為、どこでも手動ポンプとして使用することが出来る。
【実施例１】
【０００６】
以下、本発明の実施の形態について説明する。
（イ）筒（３）に内接するピストン（５）にシャフト（４）を取り付け、該シャフト（４）上部にハンドル（１）を設ける。
（ロ）球形の逆止弁（７）及び（１１）を、それぞれ吸込ホース（９）を接続する吸込口（８）側と、吐水ホース（１４）を接続する吐水管（１２）側とに設ける。吐水管（１２）は筒（３）に併設され下端が筒（３）の下部に連接された筒状である。
（ハ）吸込口（８）側の逆止弁（７）に逆止弁ガード（６）を設ける。
（ニ）吐水管（１２）の上端にプラグ（１５）を設ける。
（ホ）吸込口（８）と吐水口（１３）に、各々吸込ホース（９）と吐水ホース（１４）を取り付ける。吐水口（１３）はプラグ（１５）の下端から逆止弁（１１）の直径長以上下方の吐水管（１２）の側面部に設けられている。
（ヘ）本体下部に足踏み板（１０）を設ける。
（ト）筒体上方を塞ぐキャップ（２）を設ける。
本発明は以上のような構造で、これを使用するときは、足踏み板（１０）を押え、ハンドル（１）を上下に動かすと、以下の作用で水を汲み上げる。
（１）吸込み作用。
ハンドル（１）を上げるとピストン（５）が上昇し、吐水管（１２）側の逆止弁（１１）は吐水管（１２）内部を塞ぐ。同時に吸込口（８）側の逆止弁（７）は逆止弁ガード（６）まで移動し、筒（３）の中へ、水が吸込ホース（９）より吸い込まれる。
（２）吐水作用。
ハンドル（１）を下げるとピストン（５）が降下し、筒（３）の中が加圧され、吸込口（８）側の逆止弁（７）は下がり、吸込口（８）を塞ぐ。同時に吐水管（１２）側の逆止弁（１１）は吐水管（１２）の上端のプラグ（１５）まで移動し、加圧された水は吐水ホース（１４）より出る。
以上の作用で水を汲み上げる事ができる。
又、ハンドル（１）を上下する速さで、吐水される水の勢いを変える事が出来る為、微妙な水の汲み上げも出来る。
【図面の簡単な説明】
【０００７】
【図１】  本発明の斜視図である。
【図２】  本発明の透視側面図である。
【図３】  本発明の使用状態を示す斜視図である。
【図４】  本発明の他の使用状態を示す斜視図である。
【符号の説明】
【０００８】      １    ハンドル
２    キャップ
３    筒
４    シャフト
５    ピストン
６    逆止弁ガード
７    逆止弁
８    吸込口
９    吸込ホース
１０    足踏み板
１１    逆止弁
１２    吐水管
１３    吐水口
１４    吐水ホース
１５    プラグ
【図１】
0004579516.tif 000002
【図２】
0004579516.tif 000003
【図３】
0004579516.tif 000004
【図４】
0004579516.tif 000005